(57)【要約】【課題】仕切壁を有する既存のコンテナに何らの加工を施すことなく、サイズフリー型のコンテナに簡単に転用しうるようにした図書用コンテナを提供する。【解決手段】コンテナ本体２における第１側壁６と第２側壁７とが交差する四隅部に、平面視Ｌ字状の側片を有するコーナー部材３を、下端がコンテナ本体２の底板５の上面と当接するように嵌合し、各コーナー部材３により囲まれた内部に、コンテナ本体２の底部を底上げする平板状の底上げ部材４を、その下面がコンテナ本体２の仕切壁８の上端と当接または近接するようにして嵌合する。【選択図】図１
2014080201.tif 000002
【特許請求の範囲】
【請求項１】
矩形の底部と、該底部の短辺側の両側縁より起立する１対の第１側壁部と、前記底部の長辺側の両側縁より起立する１対の第２側壁部と、前記第１側壁部と第２側壁部とのいずれか一方の対向面に連結され、収納空間を二つに仕切る仕切壁とを備えるコンテナ本体を有するコンテナであって、
前記第１側壁部と第２側壁部とが交差する各隅部に、平面視Ｌ字状の側片を有する上下方向を向くコーナー部材を、該コーナー部材の下端が前記底部の上面と当接するように嵌合し、前記各コーナー部材により囲まれた内部に、コンテナ本体の底部を底上げする平板状の底上げ部材を、該底上げ部材の下面が前記仕切壁の上端と当接若しくは近接するようにして嵌合したことを特徴とするコンテナ。
【請求項２】
前記底上げ部材における仕切壁と平行をなす両側縁に、下端が底部の上面に当接する垂下片を設けたことを特徴とする請求項１に記載のコンテナ。
【請求項３】
前記底上げ部材の両垂下片を、外開き状に拡開したことを特徴とする請求項２に記載のコンテナ。
【請求項４】
前記各コーナー部材における少なくともいずれか一方の側片の下端に内向片を設け、該内向片の上面に、前記底上げ部材の垂下片の下端を当接させたことを特徴とする請求項２または３に記載のコンテナ。
【請求項５】
前記底上げ部材の両垂下片と、前記各コーナー部材のいずれか一方の側片とを、ねじにより固定したことを特徴とする請求項２ないし４のいずれかに記載のコンテナ。
【請求項６】
前記各コーナー部材のいずれか一方の側片を、他方の側片に対し、平面視において鈍角をなすように外方に折曲したことを特徴とする請求項１ないし５のいずれかに記載のコンテナ。
【請求項７】
前記各コーナー部材の上下寸法を、前記第１側壁部と第２側壁部のいずれの高さよりも大としたことを特徴とする請求項１ないし６のいずれかに記載のコンテナ。
【発明の詳細な説明】
【技術分野】
【０００１】
本発明は、複数の図書を中央部の仕切壁を挟んで前後２列に、かつ背表紙を外側に向けて立てて収納可能としたコンテナを、仕切壁のないサイズフリー型に転用しうるようにしたコンテナに関する。
【背景技術】
【０００２】
自動書庫等で使用されるコンテナは、図書のサイズに応じて、Ａ５型、Ｂ５型、Ａ４型等があり、これらのコンテナは、軽量化を図るために合成樹脂により形成されている。また、図書をコンテナに収納する際は、図書名の判別を容易とするために、背表紙が外側を向くように立てて並べられる。従来のコンテナの中には、図書の倒れ防止や分類のために、コンテナの底部及び側壁部に仕切壁を一体的に取付け、内部の収納空間を仕切壁により二つに仕切ったものがある（例えば特許文献１及び２参照）。
【先行技術文献】
【特許文献】
【０００３】
【特許文献１】特開２０１０−１７３６４８号公報（第４頁、第１図）
【特許文献２】特開２００５−３０４５７３号公報（第８頁、第６図）
【発明の概要】
【発明が解決しようとする課題】
【０００４】
上記特許文献１及び２に記載のコンテナのように、収納空間がコンテナと一体構造の仕切壁で仕切られていると、各種サイズのコンテナに、そのサイズよりも大きい図書や雑誌等を平置きしたいときに、仕切壁が障害となってそれができないという問題がある。この問題に対処するためには、仕切壁のないコンテナを別途製作して用意したり、仕切壁を切除したりしなければならず、このようにすると、コンテナの製作コストが大となるとともに、仕切壁の切除作業に多大な労力を要する。
【０００５】
本発明は、このような課題に着目してなされたもので、仕切壁を有する既存のコンテナに何らの加工を施すことなく、サイズフリー型のコンテナに簡単に転用しうるようにしたコンテナを提供することを目的としている。
【課題を解決するための手段】
【０００６】
上記課題を解決するために、本発明のコンテナは、
矩形の底部と、該底部の短辺側の両側縁より起立する１対の第１側壁部と、前記底部の長辺側の両側縁より起立する１対の第２側壁部と、前記第１側壁部と第２側壁部とのいずれか一方の対向面に連結され、収納空間を二つに仕切る仕切壁とを備えるコンテナ本体を有するコンテナであって、
前記第１側壁部と第２側壁部とが交差する各隅部に、平面視Ｌ字状の側片を有する上下方向を向くコーナー部材を、該コーナー部材の下端が前記底部の上面と当接するように嵌合し、前記各コーナー部材により囲まれた内部に、コンテナ本体の底部を底上げする平板状の底上げ部材を、該底上げ部材の下面が前記仕切壁の上端と当接若しくは近接するようにして嵌合したことを特徴としている。
この特徴によれば、既存のコンテナに何らの加工を施すことなく、その各隅部に、コーナー部材を嵌合して、各コーナー部材により囲まれた内部に平板状の底上げ部材を嵌合するだけで、既存のコンテナを、仕切壁のないフリーサイズ型のコンテナに簡単に転用することができ、このコンテナの内部に、大型の書籍や新聞等を平置きして収納することができる。また、コンテナ本体の仕切壁を切除する必要がないので、合成樹脂製で軽量化したコンテナ本体であっても、その強度が損なわれる虞がない。さらに、コンテナ本体とコーナー部材及び底上げ部材とを分解して保管したり、運搬したりすることができるので、保管スペースや運搬コスト等を削減することができる。
【０００７】
本発明のコンテナは、
前記底上げ部材における仕切壁と平行をなす両側縁に、下端が底部の上面に当接する垂下片を設けたことを特徴としている。
この特徴によれば、各コーナー部材により囲まれた内部に、底上げ部材を安定よく配置することができる。
【０００８】
本発明のコンテナは、
前記底上げ部材の両垂下片を、外開き状に拡開したことを特徴としている。
この特徴によれば、多数の底上げ部材を積み重ねて効率よく保管したり、効率よく運搬したりすることができる。
【０００９】
本発明のコンテナは、
前記各コーナー部材における少なくともいずれか一方の側片の下端に内向片を設け、該内向片の上面に、前記底上げ部材の垂下片の下端を当接させたことを特徴としている。
この特徴によれば、各コーナー部材が、コンテナ本体の各隅部より上方に外れる虞を小さくすることができる。
【００１０】
本発明のコンテナは、
前記底上げ部材の両垂下片と、前記各コーナー部材のいずれか一方の側片とを、ねじにより固定したことを特徴としている。
この特徴によれば、各コーナー部材と底上げ部材とを予め固定して、コンテナ本体に容易に嵌合しうるとともに、コンテナ本体の内部に安定よく収めることができる。
【００１１】
本発明のコンテナは、
前記各コーナー部材のいずれか一方の側片を、他方の側片に対し、平面視において鈍角をなすように外方に折曲したことを特徴としている。
この特徴によれば、外方に折曲した側片を内向きに弾性変形させて、各コーナー部材をコンテナ本体の各隅部に嵌合することにより、各コーナー部材がコンテナ本体の各隅部より上方に外れる虞が小さくなる。
【００１２】
本発明のコンテナは、
前記各コーナー部材の上下寸法を、前記第１側壁部と第２側壁部のいずれの高さよりも大としたことを特徴としている。
この特徴によれば、各コーナー部材の側片により囲まれたコンテナの内部に、多くの書籍等を安定よく積み重ねて収納することができるとともに、各コーナー部材の側片が側壁部を兼ねるので、多くの書籍等を支障なく平置きすることができる。
【図面の簡単な説明】
【００１３】
【図１】本発明に係るコンテナの分解斜視図である。
【図２】各コーナー部材と底上げ部材とを固定した状態の斜視図である。
【図３】組立て後のコンテナの斜視図である。
【図４】底上げ部材の拡大側面図である。
【図５】各コーナー部材と底上げ部材とを固定した状態の拡大平面図である。
【発明を実施するための形態】
【００１４】
本発明に係るコンテナを実施するための形態を実施例に基づいて以下に説明する。
【実施例】
【００１５】
図１及び図３に示すように、本発明のコンテナ１は、例えば図書館の自動書庫の書棚に、複数の図書を収納した状態で載置され、スタッカークレーン等の搬送手段により目的のコンテナを書棚から取り出して所定位置まで搬送し、収納図書を図書館の利用者に貸し出すために用いられる図書用コンテナである。このコンテナ１は、図書館の自動書庫等において使用されている既存の合成樹脂製のコンテナ本体２と、４個のコーナー部材３と、底上げ部材４とを備えている。
【００１６】
コンテナ本体２は、前後方向(以下、図１の斜め右下方を前として説明する)に長い平面視矩形の底部５と、この底部５の短辺側である左右方向の両側縁より起立する前後１対の第１側壁部６、６と、底部５の長辺側である前後方向の両側縁より起立する、高さが第１側壁部６のそれよりも小とされた左右１対の第２側壁部７、７とを備え、上方に開口する箱状に形成されている。本実施例のコンテナ本体２は、第１側壁部６と第２側壁部７により囲まれた収納空間に、Ａ２サイズまでの書籍や新聞等を平置きしうる大きさとされている。
【００１７】
底部５の上面及び第２側壁部７、７の対向面の前後方向の中央部には、第２側壁部７の高さとほぼ等高をなす左右方向を向く仕切壁８が一体的に連結され、収納空間が仕切壁８により前後二つに仕切られている。前後に仕切られた空間には、Ａ４サイズの図書を背表紙を上方に向けて立てて収納しうるとともに、Ａ３サイズまでの書籍等を平置きして収納することができるようになっている。
【００１８】
コンテナ本体２における第１側壁部６と第２側壁部７とが交差する四隅部には、前述した４個のコーナー部材３が嵌合されている。各コーナー部材３は、前後方向を向く側片３ａと左右方向を向く側片３ｂとにより、平面視Ｌ字状に形成されている。各コーナー部材３の上下寸法は、第１及び第２側壁部６、７の高さよりも大とされ、また、側片３ａの幅寸法は、側片３ｂの幅寸法よりも大としてある。
【００１９】
各コーナー部材３の側片３ｂの下端には、後方及び前方を向く内向片３ｃが対向状に一体的に連設されている。図５に示すように、各コーナー部材３の側片３ａは、側片３ｂに対し、平面視においてやや鈍角(例えば９２°)をなすように外方に折曲されている。このようにすると、側片３ａを内方に弾性変形させながら、各コーナー部材３を四隅部に嵌合した際に、側片３ａの弾性反発力が側片３ｂにも作用して、第１及び第２側壁部６、７との摩擦力が大となるので、各コーナー部材３が四隅部より外れにくくなる。各コーナー部材３における側片３ｂの下端部の外端部には、後記する皿ねじ１１の挿入孔９が穿設されている。
【００２０】
各コーナー部材３により囲まれた内部には、コンテナ本体２の底部を底上げするための前述した矩形をなす平板状の底上げ部材４が、上方より嵌合されている。この底上げ部材４は、コンテナ本体２の収納空間に若干余裕をもって嵌合される大きさとされている。
【００２１】
底上げ部材４における前記仕切壁８と平行をなす前後の側縁には、上下寸法が仕切壁８の高さとほぼ等しい垂下片４ａ、４ａが連設されている。両垂下片４ａは、図４に示すように、若干外開き状に拡開しており、多数の底上げ部材４を積み重ねて効率よく保管したり、効率よく運搬したりしうるようにしてある。垂下片４ａ、４ａの両側端部には、後記する皿ねじ１１が螺合される雌ねじ孔１０、１０が形成されている。
【００２２】
コンテナ１を形成するには、まず、図２に示すように、４個のコーナー部材３により囲まれた内部に、底上げ部材４を嵌合し、底上げ部材４の両垂下片４ａの下端を各コーナー部材３の内向片３ｃの上面に当接させる。
【００２３】
次いで、各コーナー部材３の側片３ｂに設けた挿入孔９に皿ねじ１１を挿入し、各皿ねじ１１を、底上げ部材４の両垂下片４ａに設けた雌ねじ孔１０に螺合して締付け、４個のコーナー部材３と底上げ部材４とを互いに固定する。この際、図５に示すように、各コーナー部材３の側片３ａを鈍角をなすように外方に折曲してあるので、各側片３ａは、底上げ部材４の両側縁より外方に若干離間する。
【００２４】
次いで、図３に示すように、各コーナー部材３を、それらの側片３ａを内向き弾性変形させながら、コンテナ本体２における第１側壁部６と第２側壁部７とが交差する四隅部に嵌合すれば、コンテナ１が形成される。この際、底上げ部材４の前後方向の中央部下面が、コンテナ本体２の仕切壁８の上端と当接または近接するので、底上げ部材４の中間部が下方に撓むのが防止される。
【００２５】
これにより、既存のコンテナ本体２を、これに何らの加工を施すことなく、仕切壁８のないフリーサイズ型のコンテナ１に簡単に転用することができ、このコンテナ１の内部に、Ａ２サイズまでの大型の書籍や新聞１２等を平置きして収納することができる。
【００２６】
形成後のコンテナ１においては、各コーナー部材３の側片３ａを内向きに弾性変形させて嵌合しているので、各コーナー部材３がコンテナ本体２の四隅部より上方に外れる虞は小さい。
【００２７】
また、各コーナー部材３と底上げ部材４とは予め固定されているので、それらをコンテナ本体２の内部に容易に、かつ安定よく収めることができる。
【００２８】
さらに、各コーナー部材３の上下寸法を、コンテナ本体２の第１側壁部６と第２側壁部７の高さよりも大としてあるので、各コーナー部材３の側片３ａ、３ｂにより囲まれたコンテナ１の内部に、多くの書籍や新聞１２等を安定よく積み重ねて収納することができる。特に、コンテナ本体２の成形材料の節約等を目的として、第２側壁部７の高さを第１側壁部６よりも小としても、各コーナー部材３の側片３ａが側壁を兼ねるので、多くの書籍や新聞１２等を支障なく平置きすることができる。
【００２９】
以上、本発明の実施例を図面により説明してきたが、具体的な構成は前記実施例に限定されるものではなく、本発明の要旨を逸脱しない範囲内における変形や追加があっても、本発明に含まれる。
【００３０】
例えば、前記実施例では、各コーナー部材３と底上げ部材４とを皿ねじ１１により固定しているが、固定しないで実施してもよい。
【００３１】
また、前記実施例では、各コーナー部材３の側片３ａを鈍角をなすように外方に折曲しているが、側片３ｂに対しほぼ直角としてもよい。このようにしても、各コーナー部材３に内向片３ｃを設けておけば、その上面に、底上げ部材４の垂下片４ａの下端が当接するので、各コーナー部材３が上方に外れる恐れは小さい。特に、底上げ部材４に大型の書籍１２等を載置した状態では、その重量により内向片３が下方に押圧されるので、各コーナー部材３が上方に外れたり、ぐらついたりする虞が小さくなる。
【００３２】
各コーナー部材３に設けた内向片３は、省略することもできる。特に、各コーナー部材３の側片３ａを鈍角をなすように外方に折曲した場合には、内向片３は省略してもよい。
【００３３】
前記実施例では、コンテナ本体２の第２側壁部７の対向面に、仕切壁８を連結したものとしたが、第１側壁部６の対向面に仕切壁８を連結したものにも、本発明を適用することができる。この際には、底上げ部材４の左右の側縁に、垂下片４ａを設ければよい。
【００３４】
前記実施例では、コンテナ本体２を、Ａ２サイズまでの書籍や新聞等を平置きしうる大きさのものとしたが、Ａ２以上やＡ２以下のサイズ、またはＢ判サイズの書籍等を平置きしうる大きさのコンテナ本体にも、本発明を適用することができる。
【符号の説明】
【００３５】
１                コンテナ
２                コンテナ本体
３                コーナー部材
３ａ              側片
３ｂ              側片
３ｃ              内向片
４                底上げ部材
４ａ              垂下片
５                底部
６                第１側壁部
７                第２側壁部
８                仕切壁
９                挿入孔
１０              雌ねじ孔
１１              皿ねじ
１２              書籍、新聞
【図１】
2014080201.tif 000003
【図２】
2014080201.tif 000004
【図３】
2014080201.tif 000005
【図４】
2014080201.tif 000006
【図５】
2014080201.tif 000007